(57)【要約】  【目的】  本発明は、主に机間の仕切りに用いられる間仕切りパネルに関するものであり、従来の複数の係止片を上下に有するパネルを使用せず、間仕切りを構成する部材と同一部材を転用した簡単な構造で、安価に製作出来るハンキング機能を有する間仕切りパネルを提供する事を目的とする。    【構成】  アルミ材の押出成形により形成され、オプション部材を係止する上係止溝を有する上枠と、上枠の一部を加工し、上枠と対称に配設された下枠と、アルミ材の押出成形により形成され、対向して配設された断面同形の左右縦枠と、上下枠及び左右縦枠の互いの角部をコーナー金具によって連結されると共に、アルミ材の押出成形により形成された上枠と断面同形の中枠を着席状態で使用者の手が届く高さ位置で左右縦枠間に配設してパネル枠を構成し、パネル枠の表裏両面に表面板を圧着して、パネルの巾方向ほぼ全長にわたってオプション部材を係止可能としたものである。  【選択図】  図２
2005097959.tif 000002
【特許請求の範囲】
【請求項１】
アルミ材の押出成形により形成され、オプション部材を係止する上係止溝を有する上枠と、上枠の一部を加工し、上枠と対称に配設された下枠と、アルミ材の押出成形により形成され、対向して配設された断面同形の左右縦枠と、上下枠及び左右縦枠の互いの角部をコーナー金具によって連結されると共に、アルミ材の押出成形により形成された上枠と断面同形の中枠を着席状態で使用者の手が届く高さ位置で左右縦枠間に配設してパネル枠を構成し、上枠と中枠間及び、中枠と下枠間の表裏両面に表面板を圧着して、中枠にて上下に分割された間仕切りパネルを構成することにより、間仕切りパネル上端部と着席状態で使用者の手が届く高さ位置で、パネルの巾方向ほぼ全長にわたってオプション部材を係止可能としたことを特徴とする間仕切りパネル。
【請求項２】
中枠の中上縁部に上枠の表面板上支持突部に対向して表面板上中支持突部を形成し、上枠の表面板上支持突部と中枠の表面板上中支持突部間及び、中枠の表面板下中支持突部と下枠の表面板下支持突部間の表裏両面に表面板を圧着したことを特徴とする請求項１に記載の間仕切りパネル。
【請求項３】
中枠の幅方向端部の中上縁部と表面板下中支持突部の一部に、縦枠連結用切欠き部を形成し、左右縦枠の表面板側支持突部の一部に、縦枠連結用切欠き部に対応して中枠連結用切欠き部を形成し、前記両切欠き部を組合わせると共に、上下連結具にて、中枠の中上縁部と左右縦枠の側支持突部を、中枠の表面板下中支持突部と左右縦枠の側支持突部を連結したことを特徴とする請求項２に記載の間仕切りパネル。
【請求項４】
上連結具と中枠の表面板上中支持突部が一体に形成されている事を特徴とする請求項３に記載の間仕切りパネル。
【請求項５】
縦枠連結用切欠き部は下向き中係止縁と上中支持突部の一部を残して形成され、中枠と左右縦枠が連結された状態で、残された下向き中係止縁と上中支持突部間と中枠連結用切欠き部に形成される間隙からの光りが漏れることを防止する光り漏れ防止部材を中枠の幅方向端部に設けた事を特徴とする請求項３、又は、請求項４に記載の間仕切り。
【発明の詳細な説明】
【技術分野】
【０００１】
本発明は、主に机間の仕切りに用いられる間仕切りパネルに関するものである。
【背景技術】
【０００２】
個人の作業空間での執務の集中度を向上させるために、机間等に間仕切りパネルが立設される場合がある。ところで、個人が頻繁に使用する書類、あるいは事務用品を机上に置いておくと執務の邪魔になる。そこで、このような場合には間仕切りパネルに、書類を収納する書類トレーや事務用品を収納する小物収納トレーなどを引っ掛けて、机上に物を置かなくてもいいようにするハンキング機能付き間仕切りパネルが使用される。そして、従来、このようなハンキング機能付き間仕切りパネルとしては、間仕切りパネルの表面パネルを上下方向に複数に分割し、このうち机上の上方に位置する部分に、上下に方向に複数の係止片を有するアルミニュウムの押出し成形からなるハンギングパネルを取付けたものが提供されてきた。（例えば、特許文献１参照。）
机上部分の表面パネルをすべてハンギングパネルとしたため、一般的な間仕切りパネルと比較して高価になるが、ハンギングパネルは上下に複数の係止片を有しているので、書類トレーや小物収納トレーを巾方向および上下方向に多数引っ掛けることができ、ハンキング機能が十分に活用できたので、大きな割高感はなかった。
しかしながら、近年のパソコンの普及に伴う書類の減少等によって、ハンキング機能を十分に活用することが少なくなってきた（上下に設けられた複数の係止片の一部しか使用されない。）ため、従来のハンキング機能付き間仕切りパネルに割高感が生じてきた。
一方、事務用小物や、パソコンの記録媒体等は執務の邪魔にならない手元近くに置いておく必要もあり、最小限のハンキング機能を有し、しかも安価なハンキング機能付き間仕切りパネルが、近年特に要望されようになってきた。
【０００３】
【特許文献１】実用新案登録第２５８４９３２号公報
【発明の開示】
【発明が解決しようとする課題】
【０００４】
本発明は、従来の複数の係止片を上下に有するパネルを使用せず、間仕切りを構成する部材と同一部材を転用した簡単な構造で、安価に製作出来るハンキング機能付き間仕切りパネルを提供する事を課題とする。
【課題を解決するための手段】
【０００５】
そこで、上記課題を解決する為、本発明が第１の手段として構成したところは、アルミ材の押出成形により形成され、オプション部材を係止する上係止溝を有する上枠と、上枠の一部を加工し、上枠と対称に配設された下枠と、アルミ材の押出成形により形成され、対向して配設された断面同形の左右縦枠と、上下枠及び左右縦枠の互いの角部をコーナー金具によって連結させると共に、アルミ材の押出成形により形成された上枠と断面同形の中枠を使用者が着席状態で手が届く高さ位置で左右縦枠間に配設してパネル枠を構成し、上枠と中枠間、及び中枠と下枠間の表裏両面に表面板を圧着して、中枠にて上下に分割された間仕切りパネルを構成することにより、間仕切りパネル上端部と着席状態で使用者の手が届く高さ位置で、パネルの巾方向のほぼ全長にわたってオプション部材を係止可能としたものである。
【０００６】
次に、本発明が第２の手段として構成したところは、中枠の中上縁部に上枠の表面板上支持突部に対向して表面板上中支持突部を形成し、上枠の表面板上支持突部と中枠の表面板上中支持突部間及び、中枠の表面板下中支持突部と下枠の表面板下支持突部間の表裏両面に表面板を圧着したものである。
【０００７】
本発明が第３の手段として構成したところは、前記第２の手段に加え、中枠の幅方向端部の中上縁部と表面板下中支持突部の一部に、縦枠連結用切欠き部を形成し、左右縦枠の表面板側支持突部の一部に、縦枠連結用切欠き部に対応して中枠連結用切欠き部を形成し、前記両切欠き部を組合わせると共に、上下連結具にて、中枠の中上縁部と左右縦枠の側支持突部を、中枠の表面板下中支持突部と左右縦枠の側支持突部を連結したものである。
【０００８】
本発明が第４の手段として構成したところは、前記第３の手段に加え、上連結具と中枠の表面板上中支持突部が一体に形成されているものである。
【０００９】
本発明が第５の手段として構成したところは、前記第３の手段、又は、前記第４の手段に加え、縦枠連結用切欠き部は下向き中係止縁と上中支持突部の一部を残して形成され、中枠と左右縦枠が連結された状態で、残された下向き中係止縁と上中支持突部間と中枠連結用切欠き部に形成される間隙から光りが漏れることを防止する光り漏れ防止部材を中枠の幅方向端部に設けたものである。
【発明の効果】
【００１０】
請求項１に記載の発明によると、上枠と下枠と中枠が同じ押出金型で成形されるので金型費が削減でき、しかも、一度の押出成形時の成形個数が多くなるので、成形単価が低下し、間仕切りパネル全体として安価に製作出来る。
又、中枠のない状態でも上下枠と左右縦枠の表裏両面に、ペーパーハニカム材を介して表面板を圧着すれば一般的な間仕切りとして使用でき、汎用性に優れている。
さらに、中枠を設けているのでパネル枠の強度アップを図ることができる。
そして、中枠によって間仕切りパネルの表面は上下に分割されるので表面板のカラーを上下あるいは表裏で変えたり、さらに、上部をプロジェクター投影用のスクリーンパネルやホワイトボードにしたり等、必要に応じてバリエーションに富んだ多機能な間仕切りパネルを得る事が出来る。
又、上枠と中枠が断面同形であるので、着席状態で使用者の手が届く高さ位置及びそれ以外の高さ位置に同じオプション部材を係止できると共に、使用頻度に応じた使い分けが出来、使い勝手に優れている。
【００１１】
請求項２に記載の発明によると、請求項１に記載の発明の効果に加え、表面板を強固には貼り付けることができる。
【００１２】
請求項３に記載の発明によると、請求項２に記載の発明の効果に加え、上下連結具によって、中枠と左右縦枠は強固に連結される。
【００１３】
請求項４に記載の発明によると、請求項２の発明の効果及び、請求項３に記載の発明の効果に加え上連結具と中枠の表面板上中支持部材が一体に形成されているので、部材点数が削減でき、管理が容易で、安価に製作出来ると共に、中枠への取付作業が容易である。
【００１４】
請求項５に記載の発明によると、光り漏れを防止することにより美観と品質の向上を図る事ができる。
【発明を実施するための最良の形態】
【００１５】
アルミ材の押出成形により形成され、オプション部材を係止する上係止溝１１０を有する上枠１１と、上枠１１と同一部材を加工し、上枠１１と対称に配設された下枠１２と、アルミ材の押出成形により形成され、対向して配設された断面同形の左右縦枠１３、１３と、上下枠１１、１２及び左右縦枠１３、１３の互いの角部をコーナー金具２・・・によって連結されると共に、中枠１４の幅方向端部の中上縁部１４１と表面板下中支持突部１４４の一部に下向き中係止縁１４２、１４２と上中支持突部１４３、１４３を残した縦枠連結用切欠き部１０４、１０４を形成する共に、残された下向き中係止縁１４２、１４２と上中支持突部１４３、１４３間（中係止溝１４０、１４０の左右端部）に形成される間隙からの光り漏れを防止する光り漏れ防止部材５、５を幅方向端部にもうけた中枠１４を、縦枠連結用切欠き部１０４に対応して表面板側支持突部１３３の一部に中枠連結用切欠き部１３８を形成した左右の縦枠１３、１３に、中枠１４の中上面縁１４１と左右の縦枠１３、１３の表面板側支持突部１３３を、表面板下中支持突部１４４と左右の縦枠１３、１３の表面板側支持突部１３３を、前記両切欠き部１０４、１３０を組合わせた状態で上下連結具７、７にて、着席状態で使用者の手が届く高さ位置に連結してパネル枠１０１を構成する事により、中枠１４の中上縁部１４１に上枠１１の表面板上支持突部１１４に対向して上連結具７と一体に構成された表面板上中支持突部６が形成され、上枠１１の表面板上支持突部１１４と中枠１４の表面板上中支持突部６間及び、中枠１４の表面板下中支持突部１４４と下枠１２の表面板下支持突部１２４間の表裏両面に表面板１６を圧着し、中枠１４にて上下に分割され、上端部と着席状態で使用者の手が届く高さ位置に、オプション部材をパネルの巾方向ほぼ全長にわたって係止可能とした間仕切りパネル１である。
【実施例１】
【００１６】
図１は、本発明の間仕切りパネルを使用したワークステーションの一部を示している。
符号１は、本発明の間仕切りパネルを示し、符号１０は間仕切りパネル１に直角に連結された一般的な間仕切りパネルを示し、符号１００は、間仕切りパネル１に対面して配設された机を示している。
間仕切りパネル１は、アルミ材の押出し成形により形成された上枠１１、下枠１２と、アルミ材の押出し成形により形成された左右の縦枠１３、１３と、上枠１１、下枠１２、左右の縦枠１３、１３の各角部を連結するコーナー金具２と、アルミ材の押出し成形により成形され、左右の縦枠１３、１３間の所定位置に配設された中枠１４と、上枠１１と中枠１４間及び中枠１４と下枠１２間の表裏両面にペーパーハニカム材１５を介して圧着された表面板１６・・・より構成されている。
【００１７】
上枠１１は、上縁部１１１と、上縁部１１１の前後端部に下方に突出して形成された下向き係止縁１１２、１１２と、上縁部１１１の前後端部の所定寸法内側から表裏面方向に突出し下向き係止縁１１２、１１２と所定間隔を有して形成された上支持突部１１３、１１３と、上支持突部１１３、１１３の内側で下方に突出して形成された表面板上支持突部１１４より内部が空洞とされ、係止縁１１２、１１２と上支持突部１１３、１１３間に左右方向（間仕切りパネル１の幅方向）に渡る上係止溝１１０、１１０が形成され、空洞の左右端部を左右のコーナー金具２の一部が圧入嵌合する上圧入嵌合孔１１６、１１６とし、アルミ材の押出し成形によって形成されている。
【００１８】
下枠１２は、上枠１１の一部を加工して形成され、上枠１１と上下対称に配設されている。
すなわち、下枠１２は、下縁部１２１と、下縁部１２１に前後端部に上方に突出して形成された上向き係止縁１２２、１２２と、下縁部１２１の前後端部の所定寸法内側から表裏面方向に突出し上向き係止縁１２２、１２２と所定間隔を有して形成された下支持突部１２３、１２３と、下支持突部１２３、１２３の内側で上方に突出して形成された表面板下支持突部１２４より内部が空洞とされ、上向き係止縁１２２、１２２と下支持突部１２３、１２３間に左右方向に渡る下係止溝１２０、１２０が形成され、空洞の左右端部を左右の下コーナー金具２の一部が圧入嵌合する下圧入嵌合孔１２６、１２６とし、下縁部１２１の所定位置にアジャスター２００のアジャスター取付け孔１２７が形成されている。
【００１９】
左右の縦枠１３、１３は左右に対称形に形成されているので、一方側についてのみ説明する。
縦枠１３は、側端面の上下方向に端面側が小さく奥部側が大きく形成された横向き台形状の連結用嵌合溝１３１を有する基部１３０と、基部１３０の奥部側に形成された表面板側支持突部１３３と、表面板側支持突部１３３の内部に形成された上コーナー金具２の取付け孔１３４より構成され、基部１３０と表面板側支持突部１３３にて形成された空洞１３６の上下端部を、上側のコーナー金具２の一部および下側のコーナー金具２の一部が圧入嵌合する上下嵌入孔とし、アルミ材の押出し成形により形成されている。
そして、一般的な間仕切り１０を構成する場合は、この状態で縦枠１３は使用されるが、本発明の間仕切りパネル１を構成する場合は、中枠１４との連結を考慮して、所定高さ（使用者が着席した状態で、手が届く高さ、実施例の場合、アジャスター２００を取付けた状態で１２００ミリメートルの高さ。）位置に、表面板側支持突部１３３の幅方向の一部を残して高さ方向に上枠１１の高さに一致する中枠連結用切欠き部１３８が形成され、中枠連結用切欠き部１３８の上下方向に所定間隔を有して、中枠連結孔１３９・・・が形成される。
【００２０】
コーナー金具２は、上枠１１、下枠１２、左右の縦枠１３、１３の各端部を互いに連結する際、上下に対称、あるいは左右対称に各角部に同一のものを配置して使用される。ここでは上枠と左右の縦枠との連結に用いられるコーナー金具について述べる。
すなわち、コーナー金具２は、上枠１１、下枠１２、左右の縦枠１３、１３側端面に連結用嵌合溝１３１と同形の嵌合切り欠き部２１を有するコーナー基板２３と、コーナー基板２３の下面より下方に突出し、前記縦枠１３の上圧入嵌入孔に圧入嵌合する縦枠圧入嵌合突部２４と、コーナー基板２３の奥部側端部から奥部に突出し、前記上枠１１の上圧入嵌合孔１１６に圧入嵌合する上下枠圧入嵌合突部２５と、コーナー基板２３の上面より上方に突出し、表裏両側にスライド凹溝２７、２７を有する支持突条２６、２６より構成され、コーナー基板２３には、縦枠１３の取付け孔１３４に対応して、貫通孔２０（図示せず）が形成されている。
【００２１】
そして、間仕切りパネル１が他の間仕切りパネル１と連結されない場合にのみ上コーナー金具２に上コーナーキャップ２８が取付けられる。
すなわち、上コーナーキャップ２８は、縦枠１３の取付け孔１３４およびコーナー金具２の貫通孔２０に対応して、取付け孔２９が形成され、支持突条２６、２６に外嵌し、連結用嵌合溝１３１、嵌合切り欠き部２１の上端を隠蔽する。
又、下側のコーナー金具２として使用される場合には、圧入嵌合突部２５に形成されたアジャス取付用保持孔２５１に、下枠１２のアジャスター取付け孔１２７を貫通したアジャスター２００を螺合して使用され、スライド凹溝２７、２７にスライド自在に保持される受け部材２０１が取付けられる。
【００２２】
そして、中枠連結用切欠き部１３８を有しない左右の縦枠１３、１３の上下圧入嵌入孔にコーナー金具２の縦枠圧入嵌合突部２４・・・を圧入嵌合し、上下枠１１、１２の上下圧入嵌合孔１１６、１２６にコーナー金具２の上下枠圧入嵌合突部２５・・・圧入嵌合してそれぞれを互いに連結することにより基枠が構成され、基枠の表裏両面に、ペーパーハニカム材１５を介して表面板１６・・・を圧着する事により、一般的な間仕切りパネル１０が構成される。
上記の如く構成された一般的な間仕切りパネル１０は、上コーナーキャップ２８に代わる直線連結金具、段違い連結金具、支柱支柱用連結金具、支柱用Ｔ字形連結金具、支柱用十字形連結金具、支柱用形連結金具、支柱用端部連結金具によって間仕切りパネル１０の上部同士が連結され、連結部材と受け部材２０１によって、下部同士が連結される。（詳しくは、例えば出願人の出願による特願２００２−２０８０１３５号）
【００２３】
一方、アルミ材の押出成形により形成された上枠１１と断面同形の中枠１４（すなわち、上枠１１の左右端部の一部を加工して形成された中枠１４）が、左右端部に光り漏れ防止部材５、５を、上部に表面板表上中支持突部６を配し、上下連結具７、７を介して、基枠の組立て時に、中枠連結用切欠き部１３８を有する左右縦枠１３、１３間に連結されてパネル枠１０１が構成され、パネル枠１０１の表裏両面にペーパーハニカム材１５を介して表面板１６・・・を圧着する事により発明の間仕切りパネル１が構成される。
【００２４】
すなわち、中枠１４は、中上縁部１４１と、中上縁部１４１の前後端部に下方に突出して形成された下向き中係止縁１４２、１４２と、中上縁部１４１の前後端部の所定寸法内側から表裏面方向に突出し下向き中係止縁１４２、１４２と所定間隔を有して形成された上中支持突部１４３、１４３と、上中支持突部１４３、１４３の内側で下方に突出して形成された表面板下中支持突部１４４より内部が空洞とされ、下向き中係止縁１４２、１４２と上支持突部１４３、１４３間に左右方向（間仕切りパネル１の幅方向）に渡る中係止溝１４０、１４０が形成されている。
そして、中上縁部１４１と下中支持突部１４３の幅方向端部に、下向き中係止縁１４２、１４２と下中支持突部１４３の一部を残した縦枠連結用切欠き部１０４、１０４が形成されている。
尚、実施例では、実施例では中枠１４と縦枠１３の保管時及び組立て時の強度面を考慮して、中枠１４と縦枠１３に縦枠連結用切欠き部１０４、中枠連結用切欠き部１３８を設けているが、中枠１４の縦枠連結用切欠き部１０４を深く形成すれば縦枠１３に前記中枠連結用切欠き部１３８を形成しなくてもよく、又、中枠連結用切欠き部１３８を表面板側支持突部１３３の幅方向一杯に形成すれば、中枠１４に縦枠連結用切欠き部１０４を形成しなくてもよい。  
【００２５】
光り漏れ防止部材５、５は対向した同形に形成されているので、一方側についてのみ説明する。
光り漏れ防止部材５は、中枠１４の中上縁部１４１の左右端部形成された連結孔５０に対応した取付孔５１を有する連結突片５２と、連結突片５２の端部下方に連設された下向き突片５３と、下向き突片５３の前後端部より内側方向に突出し、取付状態で中係止溝１４０の端部内側（縦枠連結用切欠き部１０４を形成する時に残された下向き中係止縁１４２、１４２と上支持突部１４３、１４３間の内側）に位置して、表面板１６，１６を圧着した状態で、中係止溝１４０の端部と、縦枠１３の中枠連結用切欠き１３０部間からの光り漏れを防ぐ遮光突片５４、５４より形成されており、取付孔５１、連結孔５０を介して中枠１４の左右端面を閉塞するように連結ネジ５００にて中枠１４に取付られている。
【００２６】
表面板上中支持突部６は、中枠１４の中上縁部１４１の幅方向に形成された連結孔６０・・・に対応する取付孔６１・・・を有する取付基板６２と、取付基板６２の前後端部より、上枠１１の表面板上支持突部１１４の前後方向の寸法と同等の間隔を有して、上方に突出する表面板支持突片６３、６３より形成され、取付孔６１、連結孔６０を介して中枠１４の中上縁部１４１の上面に連結ネジ６００にて取付けられている。
【００２７】
上下連結具７は上下対称形に形成されているので、一方側についてのみ説明する。
尚、実施例では表面板上中支持突部６と一体に形成されている。
すなわち、上連結具７は、上下方向に形成された縦枠１３の中枠連結孔１３９に対応する取付孔７０・・・を有する中枠連結板７１と、中枠連結板７１の下端部から、中枠１４の中上縁部１４１上に突出し、連結孔６０・・・に対応する取付孔７２・・・（６１・・・）を有する連結基板７３（取付基板６２）より形成され、取付孔７２・・・（６１・・・）、連結孔６０・・・を介して中枠１４の中上縁部１４１の上面に連結ネジ７００（６００）にて取付けられている。
尚、実施例１では、下連結具７も表面板上中支持突部６と一体に形成されたものを使用しているが、下側の表面板１６は中枠１４の表面板下中支持突部１４４によって支持されるので表面板上中支持突部６に相当するものがない形状のものを使用してもよい。
【００２８】
本発明の実施例１は上記の如く、間仕切りパネル１の上端部に上係止溝１１０と、使用者が着席した姿勢で手が届く位置に中係止溝１４０が形成されるので、ホワイトボード等を吊り下げる係止フック、あるいは各種大きさ及び形状のトレー等、各種のオプション部材を係止して、使用場所に応じた使い方が可能である。
例えば、図２に示すように、上係止溝１１０には奥行き寸法の大きいＡ４サイズのトレー１０２等を係止して書類等を収納し、中係止溝１４０には使用頻度の高く、かつ、奥行き寸法が小さく作業の邪魔にならないもの、例えば、パソコンの記録媒体等の収納トレー１０３が幅方向の適宜な位置に係止されて使用される。
この場合、トレー１０３を傾斜させて、上端部に形成されたＬ字形の係止突片１０５の上部を傾斜させながら、下向き中係止縁１４２の下方から係止溝１４０に差込んだ後、トレー１０３を直立させることにより、係止突片１０５の上端は、下向き中係止縁１４２の裏面に当接し、下端部が上中支持突部１４３の上面に載置し、かつ、トレーの裏面側が表面板１６に当接することで、中枠１４にトレー１０３が取付けられる。
そして、上記と逆の手順でトレー１０３を取外すことができる。
【実施例２】
【００２９】
又、本発明の実施例２は、図８に示すようにアジャスター２００、２００に代わってキャスター付きの安定脚２０１、２０１を取付けることにより、パンフレット等の陳列棚３００として所望の位置に移動させて単独で使用することができる。
この場合、上係止溝１１０と中係止溝１４０は陳列棚３００の表裏両面に形成されるので、トレー１０２を多数係止すれば大量のパンフレット等の陳列が可能である。
【図面の簡単な説明】
【００３０】
【図１】本発明の間仕切りパネルを使用したワークステーションの一部斜視図
【図２】図１のＡ―Ａ線要部拡大断面図
【図３】パネル枠の上角部の分解斜視図
【図４】パネル枠の下角部の分解斜視図
【図５】中枠部と上下連結具と光り漏れ防止部材の配置を示す分解斜視図
【図６】図５の中枠部と上下連結具と光り漏れ防止部材の関係を示す一部拡大斜視図
【図７】中枠部と上下連結具と光り漏れ防止部材の組立て状態を示す斜視図
【図８】本発明の間仕切りパネルを陳列棚として使用した状態の斜視図
【符号の説明】
【００３１】
１            本発明の間仕切りパネル
１０１        パネル枠
１１          上枠
１１０        上係止溝
２            コーナー金具
１２          下枠
１３          縦枠
１４          中枠
１４０        中係止溝
１６          表面板
【図１】
2005097959.tif 000003
【図２】
2005097959.tif 000004
【図３】
2005097959.tif 000005
【図４】
2005097959.tif 000006
【図５】
2005097959.tif 000007
【図６】
2005097959.tif 000008
【図７】
2005097959.tif 000009
【図８】
2005097959.tif 000010